(57)【要約】【課題】  蓄熱材で蓄熱した太陽熱を利用して粘着シートを温め、且つ駆除部の底板の下面、換言すると駆除部で影になる暗い箇所に粘着シートを設けることにより、簡単な構造で、蚊を効率良く、確実に駆除できるようにし、また降雨や露で粘着シートが濡れることを防止できるようにする。【解決手段】  蚊１を捕獲する粘着シート２を外面に設けている駆除部３と、この駆除部３を支持する脚４とで形成する。上記の駆除部３に、外からの太陽光を受けて太陽熱を蓄える蓄熱材１２を収容する。この蓄熱材１２の放熱を駆除部３の底板８に伝導し、この底板８の下面に、上記の粘着シート２を粘着面を下向きにして設ける。この粘着シート２を、上記の蓄熱材１２の放熱で底板８を介して加温可能に形成する。【選択図】      図１
2013081436.tif 000002
【特許請求の範囲】
【請求項１】
蚊を捕獲する粘着シートが外面に設けられている駆除部と、この駆除部を支持する脚とで形成されている蚊駆除器であって、上記の駆除部に、外からの太陽光を受けて太陽熱を蓄える蓄熱材が収容され、この蓄熱材の放熱が駆除部の底板に伝導され、この底板の下面に、上記の粘着シートが粘着面を下向きにして設けられ、この粘着シートが上記の蓄熱材の放熱で底板を介して加温可能に形成されていることを特徴とする太陽熱利用の蚊駆除器。
【請求項２】
請求項１記載の太陽熱利用の蚊駆除器であって、駆除部が密閉容器状に形成され、この駆除部内が、上下方向に連通する状態で上側の区画室と下側の区画室とに仕切り板で仕切られ、この仕切り板が上下動自在に形成されていると共に、蓄熱材が上側の区画室に収容され、この上側の区画室の温度が上昇して設定値に至ると仕切り板を下降させて上側の区画室と下側の区画室との連通状態を遮断し、上側の区画室の温度が設定値より下がると仕切り板を上昇させて上側の区画室と下側の区画室とを連通させる動作機構を備えて形成されていることを特徴とする太陽熱利用の蚊駆除器。
【請求項３】
請求項１又は２記載の太陽熱利用の蚊駆除器であって、駆除部の底板が、凸段差状の受熱部を備えて形成されていることを特徴とする太陽熱利用の蚊駆除器。
【発明の詳細な説明】
【技術分野】
【０００１】
本発明は、蚊を粘着シートで捕獲して駆除する形式の蚊駆除器に関し、更に詳しくは太陽熱利用の蚊駆除器に関するものである。
【背景技術】
【０００２】
従来この種の駆除器としては、例えば特許文献１、２に記載されているものがある。
特許文献１に記載の従来品は、脚の上部に、太陽電池と蓄電池を備えた誘引灯を設け、太陽光で発電した電気で誘引灯を点灯し、この光に集まる虫を粘着シートで捕獲する構造である。
また特許文献２に記載の従来品は、袋に入った血液類似の液体を太陽光で温め、蚊が袋内の液体を吸うと、液体が蚊の体内で凝固して蚊を駆除できるよう形成されている。
【０００３】
ところで、太陽光を利用するこの種の器具は、屋外で使用するものである。従って、この種の器具は、粘着シート等の蚊の捕獲箇所が、降雨や露で濡れても捕獲性能を低下させることがないよう形成されているのが望ましい。
しかるに、特許文献１に記載の従来品は、粘着シートを誘引灯の周りに、縦向き等の状態で設けているものであったから、これによると、降雨や露で粘着シートが濡れ、粘着力が短期間で低下するのを避けられなかった。その結果、この従来品は、粘着シートの交換頻度が高くなり、粘着シートを充分使い切ることなく、新品に交換しなければならない、という問題点があった。
【０００４】
また特許文献１に記載の従来品は、太陽光を利用するものではあっても、太陽光で誘引灯を点灯し、光で虫を集めて粘着シートで捕獲する構造であった。
従って、この従来品は、蛾などの光に集まる性質の虫には効果を発揮するが、暗い箇所を好んで飛翔する蚊には効果がなく、その結果、蚊の駆除器としては利用することができなかった。
【０００５】
また、特許文献２に記載の従来品は、太陽光を利用し、一旦、水を温めてから、この水の熱を、熱交換させて血液類似の液体を温める構造である。
従って、これによると、太陽エネルギーの利用面で効率が悪く、また液体を温める構造が複雑になり、その結果、部品数が増加し、装置が割高になるのを避けられなかった。
【０００６】
また、この従来品は、死滅した蚊が器具の周辺に散乱する、という問題があっただけではなく、特許文献１に記載の従来品と同様、屋外に設置したとき、降雨や露で薬液の袋が濡れ、その結果、蚊の捕獲性能が低下する、という問題点があった。
【先行技術文献】
【特許文献】
【０００７】
【特許文献１】特開２０００−４７５５号公報
【特許文献２】特開２０００−１３９３１８号公報
【発明の概要】
【発明が解決しようとする課題】
【０００８】
而して、蚊は、暗い所を好んで飛び、また人間の体温程度の温かい箇所に着地して人畜を刺し、その血を吸う性質がある。
本発明は、このような蚊の特性、及び従来技術の問題点に鑑み、提案されたものである。
【０００９】
従って本発明の解決しようとする技術的課題は、太陽光を利用し、粘着シートで蚊を捕獲して駆除する器具において、蓄熱材で蓄熱した太陽熱を利用して粘着シートを温め、且つ駆除部の底板の下面、換言すると駆除部で影になる暗い箇所に粘着シートを設けることにより、簡単な構造で、蚊を効率良く、確実に駆除できるようにし、また降雨や露で粘着シートが濡れることを防止できるよう形成した太陽熱利用の蚊駆除器を提供することにある。
【課題を解決するための手段】
【００１０】
本発明は、上記の課題を解決するため、次のような技術的手段を採る。
即ち、本発明は、図１等に示されるように、蚊１を捕獲する粘着シート２が外面に設けられている駆除部３と、この駆除部３を支持する脚４とで形成されている蚊駆除器であって、上記の駆除部３に、外からの太陽光を受けて太陽熱を蓄える蓄熱材１２が収容され、この蓄熱材１２の放熱が駆除部３の底板８に伝導され、この底板８の下面に、上記の粘着シート２が粘着面を下向きにして設けられ、この粘着シート２が上記の蓄熱材１２の放熱で底板８を介して加温可能に形成されていることを特徴とする（請求項１）。
【００１１】
本発明の場合、蓄熱材１２は、硫酸ナトリウム水和物、酢酸ナトリウム水和物、パラフィン等を主原料とする市販品が使用される。ここで、粘着シート２を温める仕方としては、具体的には、蓄熱材１２を駆除部３の底板８の上に直接置いて底板８を温めたり、或いは蓄熱材１２の放熱を、例えば空気を媒介して底板８に伝導するよう形成することで実現される。
【００１２】
また本発明の場合、駆除部３や脚４の形状、構造は、任意である。駆除部３は、通常、透光性の部材と断熱材とを組み合わせ、箱形等の形状に形成される。この場合、太陽光を受ける上面は、透光率が良くなるよう、透明な、例えばポリカーボネート製等のプラスチック板７で形成されているのが好ましい。
【００１３】
また粘着シート２は、駆除部３の底板８に、簡単、迅速に着脱できるよう、例えば磁力を利用して吸着可能に形成されているのが好ましい。この場合、粘着シート２に、蚊１を誘引する薬剤２０が取り付けられるのでも良い。
【００１４】
而して、本発明は、駆除部３が密閉容器状に形成され、この駆除部３内が、上下方向に連通する状態で上側の区画室９と下側の区画室１０とに仕切り板１１で仕切られ、この仕切り板１１が上下動自在に形成されていると共に、蓄熱材１２が上側の区画室９に収容され、この上側の区画室９の温度が上昇して設定値に至ると仕切り板１１を下降させて上側の区画室９と下側の区画室１０との連通状態を遮断し、上側の区画室９の温度が設定値より下がると仕切り板１１を上昇させて上側の区画室９と下側の区画室１０とを連通させる動作機構１３を備えて形成されているのが好ましい（請求項２）。
【００１５】
なぜならこれによると、日中の受光量の多い時間帯に上側の区画室９の温度を最大限まで高め、この時間帯に駆除部３の底板８から熱が放散することを防止でき、日没などで上側の区画室９の温度が下がり、蚊１が活発に飛び回る夕方になると底板８を介して粘着シート２を温めることができ、その結果、蚊１の捕獲率を向上できるからである。
【００１６】
この本発明の場合、動作機構１３は、例えば設定値に至ると伸張したり変形する形状記憶合金製のバネやワイヤー等の部材を備えて形成されるのが良い。なぜなら、この場合は、特別に電源や、電気駆動のアクチュエータを必要とすることなく実現でき、構造を簡単化でき、コストを低廉化できるからである。
【００１７】
また本発明は、駆除部３の底板８が、凸段差状の受熱部８ａを備えて形成されているのが好ましい（請求項３）。
なぜならこれによると、底板８の表面積を増大でき、その分、熱の伝導性が良くなり、底板８を介して粘着シート２を温め易くなるからである。この本発明の場合、受熱部８ａは、具体的には、半球状やブロック型の凸部が多数プレス成形されたり、底板８自体が波板状に形成されたり、或いは図１Ｂ等に示されるように、底板８が波形の凸湾曲面部８ａ１と、平面状部８ａ２とが交互に繰り返されて、ほぼ半波整流波形状に形成されることで実現される。
【発明の効果】
【００１８】
本発明は、このように形成されているから、これによると、蓄熱材で蓄熱した太陽熱を利用して簡単な構造で、蚊を駆除できる。
【００１９】
また本発明は、粘着シートを温めることができるよう形成し、且つ駆除部の底板の下面、換言すると駆除部で影になる暗い箇所に粘着シートを設けている。
従って、本発明は、蚊の特性、即ち、温かい箇所に着地し、暗い箇所を好んで飛翔する、という蚊の特性に適合しているから、これによれば、蚊を効率良く、効果的に駆除できる。
【００２０】
また本発明は、このように粘着シートが駆除部の下側に配置されている。
従って本発明の場合は、屋外に設置したとき、降雨や露で粘着シートが濡れることを防止できる。それ故、これによれば、粘着シートの粘着性能を長く維持でき、粘着シートの交換頻度を低下でき、ランニングコストを抑えることができる。
【図面の簡単な説明】
【００２１】
【図１】本発明の蚊駆除器の好適な一実施形態を示し、Ａは使用状態時の側面図、Ｂは一部を切欠した要部断面図である。
【図２】同上蚊駆除器の駆除部の側面図である。
【図３】同上蚊駆除器の駆除部の底面図である。
【図４】図３のＩV−ＩV線における要部断面図である。
【図５】Ａ、Ｂとも同上蚊駆除器の動作機構の作用を説明するための要部断面図である。
【図６】図５ＡのVＩ−VＩ線における要部断面図である。
【図７】同上蚊駆除器の駆除部の平面図である。
【図８】同上蚊駆除器の他の実施形態を示し、Ａは要部側面図、ＢはＡのＢ―Ｂ線における要部正面図である。
【発明を実施するための形態】
【００２２】
以下、本発明の好適な一実施形態を、添付図面に従って説明する。
本発明の蚊駆除器は、図１等に示されるように、蚊１を捕獲する粘着シート２が外面に設けられている駆除部３と、この駆除部３を支持する脚４とで形成されている。
【００２３】
上記の駆除部３は、この実施形態では箱形の密閉容器状に形成されている。具体的には、駆除部３の周側壁５が、合成樹脂板で方形の枠状に形成され、その内面に発泡樹脂板６が貼られ、断熱質に形成されている。また駆除部３の上面は、透明のプラスチック板７（例えばポリカーボネート製）で塞がれ、下面は波形状の受熱部８ａを備えた底板８で塞がれている。また駆除部３の周側壁５の下部５ａは、この実施形態では周囲が段差状に張り出され、雨水等が底板８の下面に回り込むことを防止できるよう、カバー状に形成されている。
【００２４】
また駆除部３内は、上下方向に連通する状態で上側の区画室９と下側の区画室１０とに仕切り板１１で仕切られている。この仕切り板１１は、この実施形態では熱を遮断できるようプラスチック材で形成されていると共に、上下動自在に形成されている。
【００２５】
また本発明は、外からの太陽光を受けて太陽熱を蓄える蓄熱材１２が、上側の区画室９の載置部９ａに載せられ、ゴムバンド等の固定具９ｂで固定されて収容されている。蓄熱材１２は、この実施形態では酢酸ナトリウム水和物を主原料とし、これに融点調整剤等が添加された蓄熱物質を黒色樹脂袋に詰めた市販品が使用されている。
【００２６】
またこの実施形態の本発明は、図１Ｂ、図５に示されるように、上側の区画室９の温度が上昇して設定値に至ると仕切り板１１を下降させて上側の区画室９と下側の区画室１０との連通状態を遮断し、上側の区画室９の温度が設定値より下がると仕切り板１１を上昇させて上側の区画室９と下側の区画室１０とを連通させる動作機構１３を備えて形成されている。設定値は、この実施形態では６０度に選定されている。
【００２７】
１４は、上記の動作機構１３を構成するブラケットである。このブラケット１４は、黒色に塗装された金属板がコの字形に折り曲げられて形成されている。そしてブラケット１４は、図１Ｂ、図７等に示されるように、駆除部３の前後の側板の左右方向の中央位置に、前後の側板の内面に背板１４ａを当接させ、且つ上下にスペースをあけた状態で固定されている。
【００２８】
また、図１Ｂ、図５において、１５は動作機構１３を構成する円筒体であり、１６は形状記憶合金製のコイルバネであり、１７は通常の金属製コイルバネである。
【００２９】
上記の円筒体１５は、ブラケット１４の上板１４ｂと下板１４ｃを貫いて上下動自在にブラケット１４に設けられている。この場合、円筒体１５は、上板１４ｂから突き出されている上端に、抜け止め用の係止板１５ａが取り付けられている。また下板１４ｃから下方に突き出されている下端の拡大径部１５ｂが、仕切り板１１に固着されている。
【００３０】
また円筒体１５は、胴部中央に、フランジ１５ｃが固定されている。そして、このフランジ１５ｃとブラケット１４の上板１４ｂとの間に、上記の形状記憶合金製のコイルバネ１６が、円筒体１５に嵌め挿されて外装されている。またフランジ１５ｃとブラケット１４の下板１４ｃとの間に、通常の金属製コイルバネ１７が嵌め挿されて外装されている。
【００３１】
而して、形状記憶合金製のコイルバネ１６は、上側の区画室９の温度が上昇して設定値（この実施形態では６０度Ｃ）に至ると、金属製コイルバネ１７の弾発力に抗して伸張する。そして、形状記憶合金製のコイルバネ１６が、円筒体１５を押し下げ、円筒体１５の下端に取り付けられている仕切り板１１を下降させ、駆除部３内の下部周囲に方形の枠状に形成されている段差部１８に仕切り板１１を押し付ける。これにより、上側の区画室９と下側の区画室１０は、連通状態が遮断される（図５Ｂ参照）。
【００３２】
また通常の金属製コイルバネ１７は、上側の区画室９の温度が設定値より下がると、その復元力により、仕切り板１１を上昇させ、上側の区画室９と下側の区画室１０とを連通させる（図５Ａ参照）。仕切り板１１は、図５Ａに示されるように、常時は金属製コイルバネ１７の弾発力でフランジ１５ｃが押し上げられることにより、ブラケット１４の下板１４ｃの下面に、円筒体１５の拡大径部１５ｂを介して押し付けられている。
従って本発明の場合、上側の区画室９と下側の区画室１０は、常時は連通している。
【００３３】
この実施形態の本発明は、このようにして蓄熱材１２の放熱が空気を媒介して駆除部３の底板８に伝導され、駆除部３の底板８が加温されるものである。
なお、本発明の場合、上記の仕切り板１１の動きは、デジタル的になされるものではなく、アナログ的に実現される。
【００３４】
また上記の駆除部３の底板８は、受熱部８ａが、この実施形態では波形の凸湾曲面部８ａ１と、平面状部８ａ２とが交互に繰り返されてほぼ半波整流波形状に形成されている。そして駆除部３の底板８は、段差部１８の下面に密着されている。
【００３５】
また上記の粘着シート２は、底板８の平面状部８ａ２に、密着されている。粘着シート２は、熱伝導性のシリコンラバーをベースに、粘着剤が表面に塗られ、裏面にはマグネットペイントが塗られている。
【００３６】
上記の底板８は、この粘着シート２を磁力で吸着できるよう、永久磁石１９で磁化されている。そして、粘着シート２は、粘着面を下向きにして底板８に吸着されている。またこの実施形態の場合、粘着シート２は、粘着面の適宜位置に、誘引剤２０が設けられている。
なお、粘着シート２は、剥離用の摘まみ２ａを備えて形成されている。
【００３７】
また上記の脚４は、図１Ａ、図８等に示されるように、その上端に、例えば棒状の支持部材２１が設けられ、駆除部３はこの支持部材２１を介して脚４で支持されている。また脚４は、この実施形態では、地面に突き刺して設置できるよう、下端４ａが尖って形成され、地面に当接するフランジ状部４ｂを備えて形成されている。
なお、脚４は、この実施形態では駆除部３を地面から、約３０センチメートルの高さに配置できるよう長さが選定されている。
【００３８】
次に、この実施形態に係る本発明の使用例及び作用を説明する。
本発明品は、図１Ａに示されるように、脚４を地面に突き刺し、屋外に設置して使用する。本発明品は、駆除部３内の蓄熱材１２が、日中、太陽光を受け、太陽熱を吸収して蓄熱する。
【００３９】
そして上側の区画室９の温度が、形状記憶合金製のコイルバネ１６の設定値（この実施形態では６０度Ｃ）より高くなると、このコイルバネ１６が金属製コイルバネ１７の弾発力に抗して伸張する。その結果、円筒体１５が押し下げられ、仕切り板１１が段差部１８に押し付けられる（図５Ｂ参照）。
【００４０】
これにより、上側の区画室９と下側の区画室１０の連通状態が遮断され、高温空気が上側の区画室９から下側の区画室１０に流れることが阻止される。
従って、本発明の場合、日中は、駆除部３の底板８からの放熱が防止され、上側の区画室９の温度が上昇して蓄熱剤に熱が蓄えられる。
【００４１】
そして、日没などで上側の区画室９の温度が下がると、形状記憶合金製のコイルバネ１６が収縮し、金属製コイルバネ１７の復元力で仕切り板１１が押し戻される。
これにより、上側の区画室９と下側の区画室１０とが連通し、高温空気が下側の区画室１０に流れ込む。その結果、本発明品は、蚊１の活動時間である夕方になると、駆除部３の底板８を介して粘着シート２が温められ、蚊１の捕獲率を高めることができる。
【００４２】
以上の処において、本発明は、上記の動作機構１３を省略し、蓄熱材１２の放熱で常時、駆除部３の底板８を温め、底板８を介して粘着シート２を加温するよう形成されているのでも良い。
【００４３】
また本発明は、図８に示されるように、脚４の下部に重し状の台座４ｃを設け、地面に据え置きできるよう形成されているのでも良い。
【００４４】
また上例では、駆除部３が傾斜姿勢で固定されているが、本発明は駆除部３の角度を変更できるよう形成されているのでも良い。この実施形態では、操作摘まみ２２を回して締め付け直すことで、駆除部３を前後に回して角度調節が可能になるよう形成されている。
【符号の説明】
【００４５】
１      蚊
２      粘着シート
３      駆除部
４      脚
８      底板
１２    蓄熱材
【図１】
2013081436.tif 000003
【図２】
2013081436.tif 000004
【図３】
2013081436.tif 000005
【図４】
2013081436.tif 000006
【図５】
2013081436.tif 000007
【図６】
2013081436.tif 000008
【図７】
2013081436.tif 000009
【図８】
2013081436.tif 000010